(57)【要約】【課題】  糸のつなぎ目の状態を適切に確認可能な糸状態表示装置を提供する。【解決手段】  糸監視制御部４７ｂの生成部４７１が、糸継台車３によるつなぎ目の糸状態の検出結果データから糸状態の変化状態を示す波形データを生成する。糸監視制御部４７ｂの算出部４７２が、検出結果データから糸状態と長さとに関する分布データを算出する。表示制御装置１００が、波形データと重ねて、分布データを評価結果ポイントとして表示部１２０に表示させる。【選択図】  図４
2015140252.tif 000002
【特許請求の範囲】
【請求項１】
糸継装置によるつなぎ目の糸状態の検出結果データから糸状態の変化状態を示す波形データを生成する生成部と、
前記検出結果データから糸状態と長さとに関する評価値を算出する算出部と、
表示部と、
前記波形データと重ねて、前記評価値を評価結果ポイントとして前記表示部に表示させる表示制御部と、
を備える糸状態表示装置。
【請求項２】
糸処理ユニット毎又は所定数の前記糸処理ユニット毎に設けられ、糸継装置によるつなぎ目の糸状態の検出結果データから糸状態の変化状態を示す波形データを生成する生成部と、
前記糸処理ユニット毎又は所定数の前記糸処理ユニット毎に設けられ、前記検出結果データから糸状態と長さとに関する評価値を算出する算出部と、
前記糸処理ユニット毎又は所定数の前記糸処理ユニット毎に設けられ、通信ラインを介して前記波形データと前記評価値とを出力する出力部と、
表示部と、
前記通信ラインを介して前記波形データと前記評価値とを取得し、前記波形データと重ねて、前記評価値を評価結果ポイントとして前記表示部に表示させる表示制御部と、
を備える糸状態表示装置。
【請求項３】
前記表示制御部は、時間的に異なる複数の前記つなぎ目に関する前記評価結果ポイントを同時に前記表示部に表示させる、請求項１又は２に記載の糸状態表示装置。
【請求項４】
前記表示制御部は、同時に表示される複数の前記評価結果ポイントのうち、前記表示部に表示されている前記波形データに対応する前記評価結果ポイントを他の前記評価結果ポイントと区別して前記表示部に表示させる、請求項３に記載の糸状態表示装置。
【請求項５】
前記表示制御部は、不良つなぎ目として切断除去した前記つなぎ目に関する前記評価結果ポイントと、切断除去しない前記つなぎ目に関する前記評価結果ポイントとを区別して前記表示部に表示させる、請求項３又は４に記載の糸状態表示装置。
【請求項６】
前記表示制御部は、前記つなぎ目の切断除去を行う境界となる第一クリアリングカーブを前記表示部に更に表示させる、請求項５に記載の糸状態表示装置。
【請求項７】
前記算出部は、前記つなぎ目以外の糸状態の前記検出結果データから、前記つなぎ目以外の通常糸むらについての糸状態と長さとに関する評価値を更に算出し、
前記表示制御部は、前記通常糸むらに関する評価結果ポイントを、前記表示部に更に表示させる、
請求項１から６のいずれか一項に記載の糸状態表示装置。
【請求項８】
前記表示制御部は、切断除去した前記通常糸むらに関する前記評価結果ポイントと、切断除去しない前記通常糸むらに関する前記評価結果ポイントとを区別して前記表示部に表示させる、請求項７に記載の糸状態表示装置。
【請求項９】
前記表示制御部は、前記通常糸むらの切断除去を行う境界となる第二クリアリングカーブを前記表示部に更に表示させる、請求項８に記載の糸状態表示装置。
【請求項１０】
前記算出部は、前記つなぎ目以外の糸状態の前記検出結果データから、前記つなぎ目以外の通常糸むらについての糸状態と長さとに関する評価値を更に算出し、
前記表示制御部は、切断除去しない前記つなぎ目に関する前記評価結果ポイントと、切断除去しない前記通常糸むらに関する前記評価結果ポイントとを区別して前記表示部に表示させる、
請求項３又は４に記載の糸状態表示装置。
【請求項１１】
前記算出部は、前記糸継装置によって糸継ぎが行われた後、つなぎ目測定期間中の前記検出結果データに基づいて前記評価値を算出する際に、前記つなぎ目測定期間中に前記つなぎ目が検出されない場合、前記つなぎ目測定期間中の前記検出結果データのうち最も糸が太い或は糸質量が多い部分の前記評価値を前記つなぎ目の評価値として算出する、請求項１から１０のいずれか一項に記載の糸状態表示装置。
【請求項１２】
前記表示制御部は、前記糸継装置によって糸継ぎが行われた後、前記算出部によってつなぎ目が検出されるまでの間の前記糸の長さを前記表示部に更に表示させる、請求項１から１１のいずれか一項に記載の糸状態表示装置。
【請求項１３】
前記糸継装置は、空気流によって糸端同士を接続するスプライサを備える、請求項１から１２のいずれか一項に記載の糸状態表示装置。
【請求項１４】
請求項１から１３のいずれか一項に記載された糸状態表示装置と、
糸処理を行う複数の糸処理ユニットと、を備え、
前記生成部は、前記糸処理ユニットで処理される糸における前記検出結果データに基づいて前記波形データを生成し、
前記算出部は、前記糸処理ユニットで処理される糸における前記検出結果データに基づいて前記評価値を算出する、糸処理装置。
【請求項１５】
糸状態を表示する糸状態表示装置で行われる糸状態表示方法であって、
糸継装置によるつなぎ目の糸状態の検出結果データから糸状態の変化状態を示す波形データを生成する生成工程と、
前記検出結果データから糸状態と長さとに関する評価値を算出する算出工程と、
前記波形データと重ねて、前記評価値を評価結果ポイントとして表示部に表示させる表示工程と、
を含む糸状態表示方法。
【請求項１６】
糸状態を表示する糸状態表示装置で行われる糸状態表示方法であって、
糸処理ユニット毎又は所定数の前記糸処理ユニット毎に設けられた生成部によって実行され、糸継装置によるつなぎ目の糸状態の検出結果データから糸状態の変化状態を示す波形データを生成する生成工程と、
前記糸処理ユニット毎又は所定数の前記糸処理ユニット毎に設けられた算出部によって実行され、前記検出結果データから糸状態と長さとに関する評価値を算出する算出工程と、
前記糸処理ユニット毎又は所定数の前記糸処理ユニット毎に設けられた出力部で実行され、通信ラインを介して前記波形データと前記評価値とを出力する出力工程と、
表示制御部において実行され、前記通信ラインを介して前記波形データと前記評価値とを取得し、前記波形データと重ねて、前記評価値を評価結果ポイントとして表示部に表示させる表示工程と、
を含む糸状態表示方法。
【発明の詳細な説明】
【技術分野】
【０００１】
本発明は、糸状態を表示する糸状態表示装置、糸処理装置、及び、糸状態表示方法に関する。
【背景技術】
【０００２】
糸処理を行う糸処理装置において、処理が行われる糸の糸状態を確認することが求められている。例えば、特許文献１には、糸むらの波形データを表示部に表示することが記載されている。ここで、波形データとは、糸の太さの時間的な変化状態を示す。例えば、波形データは、横軸を長さ、縦軸を糸太さとするマップ上に表示される。また、特許文献１には、波形データと重ねて評価結果ポイントを表示することが記載されている。評価結果ポイントとは、例えば、横軸を長さ、縦軸を糸太さとするマップ上の対応する位置に表示された糸むら部分の状態を示すドット（印）である。また、引用文献２には、糸のつなぎ目の波形データを表示部に表示することが記載されている。
【先行技術文献】
【特許文献】
【０００３】
【特許文献１】特開平１１−２６８８７２号公報
【特許文献２】米国特許第６３３９９２１号明細書
【発明の概要】
【発明が解決しようとする課題】
【０００４】
糸処理を行う糸処理装置においては、オペレータが、糸のつなぎ目の状態を確認することが求められている。特許文献１に記載された装置では糸のつなぎ目の状態を確認することができない。特許文献２に記載された装置では、つなぎ目の波形データを把握することができるものの、つなぎ目に関する更なる状態を確認したいという要望がある。
【０００５】
そこで、本発明の種々の側面は、糸のつなぎ目の状態を適切に確認可能な糸状態表示装置、糸処理装置、及び、糸状態表示方法を提供することを目的とする。
【課題を解決するための手段】
【０００６】
本発明の第一の側面に係る糸状態表示装置は、糸継装置によるつなぎ目の糸状態の検出結果データから糸状態の変化状態を示す波形データを生成する生成部と、検出結果データから糸状態と長さとに関する評価値を算出する算出部と、表示部と、波形データと重ねて、評価値を評価結果ポイントとして表示部に表示させる表示制御部と、を備える。
【０００７】
本発明の第二の側面に係る糸状態表示装置は、糸処理ユニット毎又は所定数の糸処理ユニット毎に設けられ、糸継装置によるつなぎ目の糸状態の検出結果データから糸状態の変化状態を示す波形データを生成する生成部と、糸処理ユニット毎又は所定数の糸処理ユニット毎に設けられ、検出結果データから糸状態と長さとに関する評価値を算出する算出部と、糸処理ユニット毎又は所定数の糸処理ユニット毎に設けられ、通信ラインを介して波形データと評価値とを出力する出力部と、表示部と、通信ラインを介して波形データと評価値とを取得し、波形データと重ねて、評価値を評価結果ポイントとして表示部に表示させる表示制御部と、を備える。
【０００８】
これらの糸状態表示装置において、生成部は、糸状態の変化を示す波形データを生成する。算出部は、糸状態と長さとに関する評価値を算出する。表示制御部は、波形データと重ねて、評価値を評価結果ポイントとして表示部に表示させる。これにより、オペレータは、つなぎ目の波形データを確認するのと同時に、つなぎ目の糸状態と長さとに関する評価結果を確認できる。このように、オペレータは、糸のつなぎ目の状態を適切に確認できる。
【０００９】
表示制御部は、時間的に異なる複数のつなぎ目に関する評価結果ポイントを同時に表示部に表示させてもよい。この場合、オペレータは、つなぎ目の状態の傾向を把握することができる。
【００１０】
表示制御部は、同時に表示される複数の評価結果ポイントのうち、表示部に表示されている波形データに対応する評価結果ポイントを他の評価結果ポイントと区別して表示部に表示させてもよい。この場合、オペレータは、表示部に表示されている波形データに対応する評価結果ポイントを容易に把握することができる。
【００１１】
表示制御部は、不良つなぎ目として切断除去したつなぎ目に関する評価結果ポイントと、切断除去しないつなぎ目に関する評価結果ポイントとを区別して表示部に表示させてもよい。この場合、オペレータは、切断除去したつなぎ目に関する評価結果ポイントと、切断除去しないつなぎ目に関する評価結果ポイントとを簡単に区別して確認することができる。
【００１２】
表示制御部は、つなぎ目の切断除去を行う境界となる第一クリアリングカーブを表示部に更に表示させてもよい。この場合、切断除去したつなぎ目に関する評価結果ポイントと共に、切断除去を行う境界となる第一クリアリングカーブを確認することができる。
【００１３】
算出部は、つなぎ目以外の糸状態の検出結果データから、つなぎ目以外の通常糸むらについての糸状態と長さとに関する評価値を更に算出し、表示制御部は、通常糸むらに関する評価結果ポイントを、表示部に更に表示させてもよい。この場合、オペレータは、通常糸むらに関する評価結果ポイントと、つなぎ目に関する評価結果ポイントとを同時に確認することができる。
【００１４】
表示制御部は、切断除去した通常糸むらに関する評価結果ポイントと、切断除去しない通常糸むらに関する評価結果ポイントとを区別して表示部に表示させてもよい。この場合、オペレータは、切断除去した通常糸むらに関する評価結果ポイントと、切断除去しない通常糸むらに関する評価結果ポイントとを簡単に区別して確認することができる。
【００１５】
表示制御部は、通常糸むらの切断除去を行う境界となる第二クリアリングカーブを表示部に更に表示させてもよい。この場合、オペレータは、切断除去した通常糸むらに関する評価結果ポイントと共に、切断除去を行う境界となる第二クリアリングカーブを確認することができる。
【００１６】
算出部は、つなぎ目以外の糸状態の検出結果データから、つなぎ目以外の通常糸むらについての糸状態と長さとに関する評価値を更に算出し、表示制御部は、切断除去しないつなぎ目に関する評価結果ポイントと、切断除去しない通常糸むらに関する評価結果ポイントとを区別して表示部に表示させてもよい。この場合、オペレータは、切断除去しないつなぎ目に関する評価結果ポイントと、切断除去しない通常糸むらに関する評価結果ポイントとを確認することができ、処理が行われた糸の状態を把握することができる。
【００１７】
算出部は、糸継装置によって糸継ぎが行われた後、つなぎ目測定期間中の検出結果データに基づいて評価値を算出する際に、つなぎ目測定期間中につなぎ目が検出されない場合、つなぎ目測定期間中の検出結果データのうち最も糸が太い或は糸質量が多い部分の評価値をつなぎ目の評価値として算出してもよい。これにより、オペレータは、つなぎ目が検出されない場合であっても、つなぎ目測定期間中の最も糸が太い或は糸質量が多い部分に関する評価結果ポイントを確認することができる。
【００１８】
表示制御部は、糸継装置によって糸継ぎが行われた後、算出部によってつなぎ目が検出されるまでの間の糸の長さを表示部に更に表示させてもよい。この場合、オペレータは、つなぎ目の切断除去後、巻取を再開してからどの位置につなぎ目があるかを把握することができる。
【００１９】
糸継装置は、空気流によって糸端同士を接続するスプライサを備えていてもよい。この場合、空気流によって糸端同士が撚られ、糸継ぎを行うことができる。
【００２０】
本発明の第三の側面に係る糸処理装置は、上記の糸状態表示装置と、糸処理を行う複数の糸処理ユニットと、を備え、生成部は、糸処理ユニットで処理される糸における検出結果データに基づいて波形データを生成し、算出部は、糸処理ユニットで処理される糸における検出結果データに基づいて評価値を算出する。
【００２１】
この糸処理装置によれば、オペレータは、つなぎ目の波形データを確認するのと同時に、つなぎ目の糸状態と長さとに関する評価結果を確認できる。このように、オペレータは、糸のつなぎ目の状態を適切に確認できる。
【００２２】
本発明の第四の側面は、糸状態を表示する糸状態表示装置で行われる糸状態表示方法であって、糸継装置によるつなぎ目の糸状態の検出結果データから糸状態の変化状態を示す波形データを生成する生成工程と、検出結果データから糸状態と長さとに関する評価値を算出する算出工程と、波形データと重ねて、評価値を評価結果ポイントとして表示部に表示させる表示工程と、を含む。
【００２３】
本発明の第五の側面は、糸状態を表示する糸状態表示装置で行われる糸状態表示方法であって、糸処理ユニット毎又は所定数の糸処理ユニット毎に設けられた生成部によって実行され、糸継装置によるつなぎ目の糸状態の検出結果データから糸状態の変化状態を示す波形データを生成する生成工程と、糸処理ユニット毎又は所定数の糸処理ユニット毎に設けられた算出部によって実行され、検出結果データから糸状態と長さとに関する評価値を算出する算出工程と、糸処理ユニット毎又は所定数の糸処理ユニット毎に設けられた出力部で実行され、通信ラインを介して波形データと評価値とを出力する出力工程と、表示制御部において実行され、通信ラインを介して波形データと評価値とを取得し、波形データと重ねて、評価値を評価結果ポイントとして表示部に表示させる表示工程と、を含む。
【００２４】
これらの糸状態表示方法によれば、オペレータは、つなぎ目の波形データを確認するのと同時に、つなぎ目の糸状態と長さとに関する評価結果を確認できる。このように、オペレータは、糸のつなぎ目の状態を適切に確認できる。
【発明の効果】
【００２５】
本発明の種々の側面によれば、オペレータは、糸のつなぎ目の状態を適切に確認できる。
【図面の簡単な説明】
【００２６】
【図１】紡績機の概略構成を示す図である。
【図２】紡績機に含まれる紡績ユニットの側面図である。
【図３】紡績機の制御システムの概略構成を示すブロック図である。
【図４】表示部に表示される波形データ及び評価結果ポイントの画像の一例を示す図である。
【図５】通常糸むらの評価結果ポイントのみを表示した画像の一例を示す図である。
【図６】つなぎ目の評価結果ポイントのみを表示した画像の一例を示す図である。
【図７】表示制御装置が行う糸状態表示処理の流れを示す図である。
【発明を実施するための形態】
【００２７】
以下、本発明の一実施形態について図面を参照しながら説明する。なお、図面の説明において同一の要素には同一の符号を付し、重複する説明を省略する。また、本明細書において「上流」及び「下流」とは、紡績時での糸の走行方向における上流及び下流を意味する。
【００２８】
図１に示す紡績機（糸処理装置）１は、並設された複数の紡績ユニット（糸処理ユニット）２と、糸継台車（糸継装置）３と、原動機ボックス５と、統括制御装置５０と、ブロアボックス８０と、表示制御装置（表示制御部）１００と、を備えている。紡績機１の各部の動作は、統括制御装置５０によって制御されている。ブロアボックス８０には、紡績ユニット２の各部において吸引流及び／又は旋回流等を発生させるためのエアー供給源等が収容されている。原動機ボックス５には、紡績ユニット２の各部に動力を供給するための原動機等が収容されている。紡績機１が設置される工場では、糸継台車３に対して紡績糸１０の糸道側に、紡績ユニット２の配列方向に延びるオペレータ通路が設けられている。オペレータは、オペレータ通路側から、各紡績ユニット２の操作及び監視等を行う。
【００２９】
図１及び図２に示すように、各紡績ユニット２は、上流から下流へ向かって順に、ドラフト装置７と、空気紡績装置９と、糸貯留装置１２と、ワキシング装置１４と、巻取装置１３と、を備えている。
【００３０】
ドラフト装置７は、紡績機１の機台高さ方向において、紡績機１の筐体６の上端近傍に設けられている。ドラフト装置７から送られてくる繊維束８（図２参照）は、空気紡績装置９で紡績される。空気紡績装置９から送出された紡績糸１０は、糸監視装置５２を通過した後、糸貯留装置１２で更に下流側に送られてワキシング装置１４でワックスが付与される。その後、紡績糸１０は、巻取装置１３によって巻き取られ、これによりパッケージ４５が形成される。
【００３１】
ドラフト装置７は、スライバ１５を延伸（ドラフト）して繊維束８にする。ドラフト装置７は、図２に示すように、バックローラ対１６、サードローラ対１７、エプロンベルト１８を装架したミドルローラ対１９、及びフロントローラ対２０の４つのローラ対を備えている。各ローラ対１６，１７，１９及び２０のボトムローラは、原動機ボックス５又は個別に設けられた駆動源（図示しない）からの動力により駆動される。各ローラ対１６，１７，１９及び２０は、回転速度を異ならせて駆動され、この結果、上流側から供給されたスライバ１５を延伸して繊維束８にし、下流側の空気紡績装置９に送る。
【００３２】
空気紡績装置９は、旋回気流を利用して繊維束８に撚りを与え、紡績糸１０を生成する。空気紡績装置９は、詳細な説明や図示は省略するが、繊維案内部と、旋回流発生ノズルと、中空ガイド軸体と、を備えている。繊維案内部は、ドラフト装置７から送られた繊維束８を、空気紡績装置９の内部に形成される紡績室に案内する。旋回流発生ノズルは、繊維束８の経路の周囲に配置され、紡績室内に旋回流を発生させる。この旋回流によって、紡績室内の繊維束８の繊維端が反転され旋回する。中空ガイド軸体は、紡績された紡績糸１０を紡績室から空気紡績装置９の外部へと案内する。
【００３３】
空気紡績装置９の下流には、糸貯留装置１２が設けられている。糸貯留装置１２は、紡績糸１０に所定の張力を与えて空気紡績装置９から引き出す機能と、糸継台車３による糸継作業時等に空気紡績装置９から送出される紡績糸１０を滞留させて紡績糸１０の弛みを防止する機能と、巻取装置１３側の張力の変動が空気紡績装置９側に伝わらないように張力を調節する機能と、を有している。図２に示すように、糸貯留装置１２は、糸貯留ローラ２１と、糸掛け部材２２と、上流側ガイド２３と、電動モータ２５と、下流側ガイド２６と、貯留量センサ２７と、を備えている。
【００３４】
糸掛け部材２２は、紡績糸１０に係合し、紡績糸１０に係合した状態で糸貯留ローラ２１と一体回転することにより、糸貯留ローラ２１の外周面に紡績糸１０を巻き付ける。
【００３５】
糸貯留ローラ２１は、その外周面に紡績糸１０を一定量巻き付けて貯留する。糸貯留ローラ２１は、電動モータ２５によって回転駆動される。糸貯留ローラ２１の外周面に巻き付けられた紡績糸１０は、糸貯留ローラ２１が回転することにより糸貯留ローラ２１を締め付けるようにして巻かれ、糸貯留装置１２よりも上流側の紡績糸１０を引っ張る。すなわち、外周面に紡績糸１０を巻き付けた状態の糸貯留ローラ２１を所定の回転速度で回転させることで、糸貯留装置１２は、紡績糸１０に所定の張力を与えて空気紡績装置９から紡績糸１０を所定の速度で引き出し、所定の速度で下流側に搬送する。
【００３６】
貯留量センサ２７は、糸貯留ローラ２１に巻き付いている紡績糸１０の貯留量を非接触式に検出する。貯留量センサ２７は、検出した紡績糸１０の貯留量を示す貯留量信号を統括制御装置５０に出力する。
【００３７】
上流側ガイド２３は、糸貯留ローラ２１のやや上流側に配置されている。上流側ガイド２３は、糸貯留ローラ２１の外周面に対して紡績糸１０を適切に案内する。上流側ガイド２３は、空気紡績装置９から伝播してくる紡績糸１０の撚りが上流側ガイド２３よりも下流側に伝わることを防止する。
【００３８】
紡績機１の筐体６の前面側（オペレータ通路側）であって空気紡績装置９と糸貯留装置１２との間の位置には、糸監視装置５２が設けられている。空気紡績装置９で紡出された紡績糸１０は、糸貯留装置１２で巻き取られる前に糸監視装置５２を通過する。糸監視装置５２は、紡績糸１０の糸状態を検出する。また、糸監視装置５２は、紡績糸１０に含まれる異物を検出することもできる。
【００３９】
糸監視装置５２の上流側には、糸欠陥検出時に紡績糸１０を切断するためのカッタ５７が配置されている。なお、カッタ５７を省略して、空気紡績装置９への空気の供給を停止することで、紡績糸１０を切断してもよい。
【００４０】
糸貯留装置１２の下流には、ワキシング装置１４が設けられている。ワキシング装置１４は、糸貯留装置１２から巻取装置１３に向けて走行する紡績糸１０に、ワックスを付与する。
【００４１】
巻取装置１３は、パッケージ保持部７１と、巻取ドラム７２と、トラバース装置７５と、を備えている。パッケージ保持部７１は、パッケージ４５を回転可能に保持する部分であり、筐体６に固定される固定部７１ａと、固定部７１ａに対して前後に揺動可能な揺動部７１ｂと、を有している。揺動部７１ｂは、固定部７１ａにおいて、軸７０まわりに揺動可能に支持されている。揺動部７１ｂには、紡績糸１０を巻き取るためのボビン４８を回転可能に保持する図略のボビンホルダが設けられている。
【００４２】
巻取ドラム７２は、ボビン４８の外周面又はパッケージ４５の外周面に接触し、パッケージ４５を回転駆動させる。トラバース装置７５は、紡績糸１０に係合可能なトラバースガイド７６を備えている。巻取装置１３は、トラバースガイド７６を図略の駆動手段によって往復動させながら巻取ドラム７２を図略の電動モータによって駆動することで、巻取ドラム７２に接触するパッケージ４５を回転させ、紡績糸１０を綾振りしつつパッケージ４５に紡績糸１０を巻き取る。トラバース装置７５のトラバースガイド７６は、複数の紡績ユニット２で共有されるシャフトにより、各紡績ユニット２で共通に駆動される。
【００４３】
続いて、糸継台車３について説明する。糸継台車３は、図１及び図２に示すように、ドラフト装置７及び空気紡績装置９等が配置された筐体６の下方側を、紡績ユニット２の並び方向に沿ってレール４１上を車輪４２により走行する。糸継台車３は、スプライサ４３と、サクションパイプ４４と、サクションマウス４６と、糸監視装置４７と、を備えている。
【００４４】
糸継台車３は、ある紡績ユニット２で糸切れ又は糸切断が発生すると、レール４１に沿って当該紡績ユニット２まで走行し、停止する。サクションパイプ４４は、軸を中心に上下方向に回動しながら、空気紡績装置９から送出される糸端を吸い込みつつ捕捉してスプライサ４３へ案内する。サクションマウス４６は、軸を中心に上下方向に回動しながら、巻取装置１３に支持されたパッケージ４５から糸端を吸引しつつ捕捉してスプライサ４３へ案内する。スプライサ４３は、案内された糸端同士を空気流によって接続する。より詳細には、スプライサ４３は、案内された両方の糸端を空気流によって解撚し、解撚後の糸端同士を重ね合わせ、その状態で旋回空気流によって両糸端を撚って接続する。
【００４５】
糸監視装置４７は、スプライサ４３によって糸継ぎが行われた後、紡績糸１０の糸状態を検出する。すなわち、糸監視装置４７は、スプライサ４３によって糸継ぎが行われる際に、スプライサ４３よりも下流側に位置している。
【００４６】
次に、紡績機１の制御システムについて説明する。図３に示すように、統括制御装置５０は、糸監視装置５２等の検出結果に基づいて、ユニットコントローラ２９、糸継台車コントローラ４９及びブロアコントローラ８９等に指示を出し、紡績機１の各部の制御を行う。統括制御装置５０には、入力部５５、及び、表示部５６が接続されている。統括制御装置５０は、例えば、紡績ユニット２の動作状態等を表示部５６に表示させる。統括制御装置５０は、オペレータによる入力部５５の入力操作に基づいて、例えば、紡績ユニット２の動作等の設定を変更する。統括制御装置５０は、一例として原動機ボックス５内に設けられている。入力部５５及び表示部５６は、一例として原動機ボックス５の側面に取り付けられている。
【００４７】
統括制御装置５０と、ユニットコントローラ２９、糸継台車コントローラ４９及びブロアコントローラ８９とは通信ラインＬ１によって接続されている。統括制御装置５０と、ユニットコントローラ２９、糸継台車コントローラ４９及びブロアコントローラ８９とは、通信ラインＬ１を経由してデータ通信が行われる。
【００４８】
糸継台車コントローラ４９は、統括制御装置５０からの指示に基づいて、糸継台車３の走行及び糸継ぎの制御等を行う。糸継台車コントローラ４９は、例えば、糸継台車３に設けられている。ブロアコントローラ８９は、統括制御装置５０からの指示に基づいて、ブロアボックス８０内に設けられたエアー供給源等の制御を行う。ブロアコントローラ８９は、例えばブロアボックス８０内に設けられている。
【００４９】
複数の紡績ユニット２は、所定数毎（一例として、４錘又は８錘等）にグループ分けされている。ユニットコントローラ２９は、所定数の紡績ユニット２から構成されるグループＧ毎に一つずつ設けられている。ユニットコントローラ２９は、統括制御装置５０からの指示に基づいて、自身が管理するグループＧ内の所定数の各紡績ユニット２の制御を行う。ユニットコントローラ２９は、例えば管理する紡績ユニット２の近傍に設けられている。ユニットコントローラ２９は、自身が管理するグループＧ内の所定数の各紡績ユニット２に備えられた糸監視装置５２と、通信ラインＬ２によって接続されている。ユニットコントローラ２９と糸監視装置５２とは、通信ラインＬ２を経由してデータ通信が行われる。なお、紡績ユニット２をグループ分けせずに、ユニットコントローラ２９が紡績ユニット２毎にそれぞれ設けられていてもよい。
【００５０】
また、紡績機１に設けられた複数の各糸監視装置５２と、表示制御装置１００とは、通信ラインＬ２によって接続されている。表示制御装置１００と複数の糸監視装置５２とは、通信ラインＬ２を経由してデータ通信を行う。
【００５１】
ここで、各紡績ユニット２にそれぞれ設けられた糸監視装置５２は、検出部５２ａと糸監視制御部５２ｂとを含んで構成されている。検出部５２ａは、空気紡績装置９によって紡績された紡績糸１０の太さの時間的な変化を検出する。検出部５２ａは、検出した結果を検出結果データとして糸監視制御部５２ｂに出力する。検出結果データは、一例として、紡績糸１０の太さに応じて時間的に変化するアナログ信号である。
【００５２】
本実施形態では、検出部５２ａとして、紡績糸１０に光を照射し、受光量の変化により糸太さの時間的な変化状態を検出する光学式の監視装置を用いる。なお、検出部５２ａとして、電界中に紡績糸１０を通過させ、静電容量の変化によって糸の質量の時間的な変化状態を検出する静電容量式の監視装置を用いてもよい。この場合、検出部５２ａは、紡績糸１０の質量の時間的な変化を検出する。
【００５３】
糸監視制御部５２ｂは、算出部５２２と、出力部５２３とを含んで構成されている。算出部５２２は、検出部５２ａから入力された検出結果データに基づいて、紡績糸１０に含まれる糸むらの太さと長さとに関する分布データ（評価値）を算出する。算出部５２２は、一例として、まず、アナログ信号である検出結果データをデジタル信号に変換する。算出部５２２は、変換した検出結果データを紡績糸１０の所定の長さ毎（一例として１ｍｍ毎）にサンプリングした結果に基づいて、分布データを算出する。以下、算出部５２２において分布データの算出対象となる糸むらを、後述するつなぎ目に関する糸むらと区別するために「通常糸むら」という。通常糸むらは、つなぎ目以外の糸むらである。
【００５４】
出力部５２３は、分布データを表示制御装置１００へ出力する。出力部５２３は、分布データを表示制御装置１００に加えて統括制御装置５０へ出力してもよい。通常糸むらには、切断除去した通常糸むらと、切断除去しない残存する通常糸むらとがある。出力部５２３は、切断除去すべき通常糸むらが算出部５２２によって検出され、カッタ５７によって通常糸むらの切断除去が行われた場合に、切断除去した通常糸むらの分布データを表示制御装置１００へ出力する。また、出力部５２３は、切断除去しない通常糸むらの分布データについては、所定数のデータが溜まった段階で、表示制御装置１００へ出力する。
【００５５】
なお、糸監視制御部５２ｂは、検出部５２ａから入力された検出結果データに基づいて、通常糸むらにおける太さの時間的な変化状態を示す波形データを生成してもよい。その場合、出力部５２３は、波形データを表示制御装置１００へ出力する。また、出力部５２３は、波形データを表示制御装置１００に加えて統括制御装置５０へ出力してもよい。統括制御装置５０又は表示制御装置１００は、生成された通常糸むらの波形データを表示部５６又は１２０に表示してもよい。
【００５６】
また、糸継台車３に設けられた糸監視装置４７と、表示制御装置１００とは、通信ラインＬ３によって接続されている。表示制御装置１００と糸監視装置４７とは、通信ラインＬ３を経由してデータ通信を行う。
【００５７】
糸継台車３に設けられた糸監視装置４７は、検出部４７ａと糸監視制御部４７ｂとを含んで構成されている。検出部４７ａは、スプライサ４３によって糸継ぎが行われた後、つなぎ目測定期間の間、紡績糸１０の太さの時間的な変化を検出する。この検出結果には、スプライサ４３によって糸継ぎがされたつなぎ目の検出結果が含まれている。すなわち、検出部４７ａは、スプライサ４３によって糸継ぎが行われた紡績糸１０のつなぎ目の太さの時間的な変化を検出することができる。検出部４７ａは、検出した結果を検出結果データとして糸監視制御部４７ｂに出力する。検出結果データは、一例として、紡績糸１０の太さに応じて時間的に変化するアナログ信号である。ここで、つなぎ目測定期間とは、例えば、スプライサ４３によって糸継ぎが行われた後、パッケージ４５に予め定められた長さ（一例として約６０ｃｍ）の紡績糸１０が巻き取られるまでの期間である。
【００５８】
本実施形態では、検出部４７ａとして、紡績糸１０のつなぎ目に光を照射し、受光量の変化により糸太さの時間的な変化状態を検出する光学式の監視装置を用いる。なお、検出部４７ａとして、電界中に紡績糸１０のつなぎ目を通過させ、静電容量の変化によって糸の質量の時間的な変化状態を検出する静電容量式の監視装置を用いてもよい。この場合、検出部４７ａは、つなぎ目の質量の時間的な変化を検出する。
【００５９】
糸監視制御部４７ｂは、生成部４７１と、算出部４７２と、出力部４７３とを含んで構成されている。生成部４７１は、検出部４７ａから入力された検出結果データに基づいて、つなぎ目の太さの時間的な変化状態を示す波形データを生成する。生成部４７１は、一例として、まず、アナログ信号である検出結果データをデジタル信号に変換する。生成部４７１は、変換した検出結果データを紡績糸１０の所定の長さ毎（一例として１ｍｍ毎）にサンプリングすることにより、つなぎ目の波形データを生成する。
【００６０】
算出部４７２は、検出部４７ａから入力された検出結果データに基づいて、つなぎ目の太さと長さとに関する分布データ（評価値）を算出する。算出部４７２は、一例として、まず、アナログ信号である検出結果データをデジタル信号に変換する。算出部４７２は、変換した検出結果データを紡績糸１０の所定の長さ毎（一例として１ｍｍ毎）にサンプリングした結果に基づいて、分布データを算出する。例えば算出部４７２は、紡績糸１０の太さが予め設定された値を超えた部分をつなぎ目として検出する。なお、なお、算出部４７２は、検出結果データに基づいて生成された波形データに基づいて、分布データを算出してもよい。この場合であっても、算出部４７２は、検出結果データに基づいて分布データを算出しているといえる。
【００６１】
出力部４７３は、つなぎ目の分布データを表示制御装置１００へ出力する。出力部４７３は、つなぎ目の分布データを表示制御装置１００に加えて統括制御装置５０へも出力してもよい。つなぎ目には、不良つなぎ目として切断除去したつなぎ目と、正常つなぎ目として切断除去しないつなぎ目とがある。切断除去したつなぎ目とは、スプライサ４３によって糸継作業が行われたつなぎ目の状態が不良であり、再度、このつなぎ目部分の切断除去を行う必要があるつなぎ目である。出力部４７３は、切断除去すべきつなぎ目が算出部４７２によって検出され、このつなぎ目が切断除去されて再度糸継ぎが行われた場合に、切断除去したつなぎ目の分布データを表示制御装置１００へ出力する。また、出力部４７３は、切断除去しないつなぎ目の分布データについては、所定数のデータが溜まった段階で、表示制御装置１００へ出力する。
【００６２】
出力部４７３は、生成部４７１によって生成されたつなぎ目の波形データを、つなぎ目が検出される毎に表示制御装置１００へ出力する。
【００６３】
このように表示制御装置１００は、各紡績ユニット２に設けられた糸監視装置５２の糸監視制御部５２ｂから、紡績糸１０に含まれる通常糸むらの長さと太さとに関する分布データを取得する。また、表示制御装置１００は、糸監視装置４７の糸監視制御部４７ｂから、紡績糸１０に含まれるつなぎ目の太さと長さとに関する分布データと、つなぎ目の波形データとを取得する。ここで表示制御装置１００が取得するつなぎ目の分布データには、上述したように、切断除去したつなぎ目の分布データだけでなく、切断除去しないつなぎ目の分布データを含む。また、表示制御装置１００が取得する通常糸むらの分布データには、上述したように、切断除去した通常糸むらの分布データだけでなく、残存する通常糸むらの分布データを含む。
【００６４】
表示制御装置１００には、入力部１１０、及び、表示部１２０が更に接続されている。表示制御装置１００は、一例として原動機ボックス５内に設けられている。入力部１１０及び表示部１２０は、一例として、原動機ボックス５の側面に取り付けられている。表示制御装置１００は、糸監視制御部４７ｂから取得したつなぎ目の波形データ等を表示部１２０に表示させる。以下、表示制御装置１００が表示部１２０に表示させる画像例について説明する。
【００６５】
表示制御装置１００は、まず、図４に示す二次元フィールドＡを生成する。二次元フィールドＡは、糸むらの長さを横軸とし、糸むらの太さを縦軸とし、この座標上に糸むらをドットとして表示したものである。なお、縦軸は、基準となる糸太さに対する太さの割合である。表示制御装置１００は、通常糸むら及びつなぎ目の分布データが示す太さ及び長さに基づいて、二次元フィールドＡ上のドットの位置を決定する。以下、分布データに基づいて二次元フィールドＡ上に表示させるドットを、評価結果ポイントという。
【００６６】
なお、オペレータは、表示部１２０に評価結果ポイント等を表示する紡績ユニット２の情報を入力部１１０を通じて入力する。表示制御装置１００は、入力された紡績ユニット２が生成する紡績糸１０についての評価結果ポイントを表示部１２０に表示させる。
【００６７】
表示制御装置１００は、図４に示すように、評価結果ポイントを付した二次元フィールドＡを表示部１２０に表示させる。なお、図４において、切断除去した通常糸むらの評価結果ポイントを白塗りの四角印で示し、切断除去しない残存する通常糸むらの評価結果ポイントを黒塗り四角印で示している。また、図４において、不良つなぎ目として切断除去したつなぎ目の評価結果ポイントを白塗り丸印で示し、正常つなぎ目として切断除去しないつなぎ目の評価結果ポイントを黒塗り丸印で示している。
【００６８】
図４の理解を容易にするために、参考のため、図５に、切断除去した通常糸むらの評価結果ポイント（白塗り四角印）、及び、切断除去しない残存する通常糸むらの評価結果ポイント（黒塗り四角印）のみを表示した画像の一例を示す。また、図６に、不良つなぎ目として切断除去したつなぎ目の評価結果ポイント（白塗り丸印）、及び、正常つなぎ目として切断除去しないつなぎ目の評価結果ポイント（黒塗り丸印）のみを表示した画像の一例を示す。
【００６９】
本実施形態では、白塗り又は黒塗りの四角印、及び、白塗り又は黒塗りの丸印を用いて、切断除去した通常糸むら、切断除去しない残存する通常糸むら、不良つなぎ目として切断除去したつなぎ目、及び、正常つなぎ目として切断除去しないつなぎ目を区別しているが、互いに区別が可能であればこれ以外の方法によって表示してもよい。例えば、色を変えて表示する、或は、色以外の表示形態として、評価結果ポイントの印を点滅又は点灯させたり、大きさを変えたり、模様を変えたりして表示してもよい。
【００７０】
表示制御装置１００は、時間的に異なる複数のつなぎ目に関する評価結果ポイントを二次元フィールドＡに付し、複数の評価結果ポイントを同時に表示部１２０に表示させる。同様に、表示制御装置１００は、時間的に異なる通常糸むらに関する評価結果ポイントを二次元フィールドＡに付し、複数の評価結果ポイントを同時に表示部１２０に表示させる。表示制御装置１００は、複数のつなぎ目及び複数の通常糸むらの評価結果ポイントを表示部１２０に表示するために、糸監視制御部４７ｂ及び５２ｂから取得した分布データを所定数又は紡績糸１０の所定長さ分だけ記憶している。
【００７１】
表示制御装置１００は、オペレータによる入力部１１０の入力操作に基づいて、表示部１２０に表示する評価結果ポイントの種類を変更してもよい。例えば、表示制御装置１００は、評価結果ポイントとして、切断除去しない残存する通常糸むらの評価結果ポイント、及び、正常つなぎ目として切断除去しないつなぎ目の評価結果ポイントのみを表示部１２０に表示してもよい。
【００７２】
表示制御装置１００は、図４に示すように、検出された最も新しいつなぎ目の波形データＤを二次元フィールドＡに重ねて表示部１２０に表示させる。なお、表示制御装置１００は、最も新しいつなぎ目の波形データＤに限定されず、例えば、オペレータによる入力部１１０の入力操作に基づいて、過去の波形データを二次元フィールドＡに重ねて表示してもよい。過去の波形データを表示する場合、入力部１１０は、糸監視制御部４７ｂから取得した波形データを所定数又は紡績糸１０の所定長さ分だけ記憶している。
【００７３】
また、表示制御装置１００は、糸監視制御部４７ｂから入力されたつなぎ目の波形データのうち、太さ等に基づいて判断されたつなぎ目部分の波形データ及びつなぎ目部分の前後所定長さ分の波形データを切り出して表示部１２０に表示させてもよい。図４に示す例では、つなぎ目部分を含む８ｃｍ分の波形データＤを表示部１２０に表示している。
【００７４】
表示制御装置１００は、切断除去したつなぎ目の評価結果ポイントのうち、表示部１２０に表示されている波形データに対応する評価結果ポイントを他の評価結果ポイントと区別して表示部１２０に表示させる。本実施形態では、図４に示すように、表示されている波形データに対応する切断除去したつなぎ目の評価結果ポイントＰを白塗り星印で示している。オペレータが入力部１１０を操作して表示部１２０に表示させる波形データを変更した場合、表示制御装置１００は、表示されている波形データに対応する評価結果ポイントＰを白塗り星印で表示してもよい。なお、評価結果ポイントＰが他の評価結果ポイントと区別できれば、評価結果ポイントＰを白塗り星印で表示することに限定されず、他の方法によって表示してもよい。
【００７５】
表示制御装置１００は、つなぎ目の切断除去を行うか否かの条件を表示部１２０に表示させる。具体的には、表示制御装置１００は、つなぎ目の切断除去を行うか否かの条件として、第一クリアリングカーブＢを二次元フィールドＡに重ねて表示部１２０に表示させる（図４及び図６参照）。第一クリアリングカーブＢは、つなぎ目の切断除去を行うか否かの境界である。第一クリアリングカーブＢに対して紡績糸１０の基準太さ（糸の太さが０％の横軸）側にあるつなぎ目の評価結果ポイントが切断除去しないつなぎ目（黒塗り丸印）であり、第一クリアリングカーブＢに対して紡績糸１０の基準太さ（糸の太さが０％の横軸）から離れる側にあるつなぎ目の評価結果ポイントが切断除去するつなぎ目（白塗り丸印）である。
【００７６】
表示制御装置１００は、通常糸むらの切断除去を行うか否かの条件を表示部１２０に表示させる。具体的には、表示制御装置１００は、通常糸むらの切断除去を行うか否かの条件として、第二クリアリングカーブＣを二次元フィールドＡに重ねて表示部１２０に表示させる（図４及び図５参照）。第二クリアリングカーブＣは、通常糸むらの切断除去を行うか否かの境界である。第二クリアリングカーブＣに対して紡績糸１０の基準太さ（糸の太さが０％の横軸）側にある通常糸むらの評価結果ポイントが切断除去しない通常糸むら（黒塗り四角印）であり、第二クリアリングカーブＣに対して紡績糸１０の基準太さ（糸の太さが０％の横軸）から離れる側にある通常糸むらの評価結果ポイントが切断除去する通常糸むら（白塗り四角印）である。
【００７７】
表示制御装置１００は、オペレータによる入力部１１０の入力操作に基づいて、第一クリアリングカーブＢ及び第二クリアリングカーブＣの表示のオンオフを切り替えてもよい。
【００７８】
なお、二次元フィールドＡにおいて、紡績糸１０の基準太さ（糸の太さが０％の横軸）の近傍の領域Ｒについては、通常糸むらの評価結果ポイントを表示しない（図４及び図５参照）。図４から図６では、領域Ｒにハッチングを付している。これは、一例として、切断除去しない通常糸むらの評価結果ポイントの大部分は領域Ｒの位置に付されるため、表示する評価結果ポイントの数が膨大となることを避けるためである。但し、つなぎ目の評価結果ポイント（黒塗り丸印）については、通常糸むらの評価結果ポイントに対して数が少ないため、領域Ｒにおいてもつなぎ目の評価結果ポイントを表示している（図４及び図６参照）。
【００７９】
表示制御装置１００は、図４において表示欄Ｓで示すように、通常糸むらに関する情報とつなぎ目に関する情報とを表示部１２０に表示させる。具体的には、通常糸むらに関する情報として、通常糸むらの太さ（図４の例では「１２０％」）と、通常糸むらの長さ（図４の例では「２０ｍｍ」）とを表示する。表示欄Ｓには、複数検出される通常糸むらのうち最も新しい糸むらに関する情報が表示される。新たに通常糸むらが検出された場合、表示欄Ｓの通常糸むらに関する情報が更新される。また、つなぎ目に関する情報として、つなぎ目の太さ（図４の例では「１３５％」）と、つなぎ目の長さ（図４の例では「３８ｍｍ」）と、糸継ぎが行われた後つなぎ目が検出されるまでの間にパッケージ４５に巻き取られた紡績糸１０の長さ（図４の例では「２０ｃｍ」）とを表示する。表示欄Ｓに表示されるつなぎ目に関する情報は、表示部１２０に表示されている波形データに対応するつなぎ目（評価結果ポイントＰに対応するつなぎ目）に関する情報である。新たにつなぎ目が検出された場合、表示欄Ｓのつなぎ目に関する情報が更新される。図４では、表示欄Ｓを一例として表示部１２０の表示画面の右上領域に表示したが、表示欄Ｓを表示する位置はこれに限定されない。
【００８０】
このように、つなぎ目が算出部４７２によって検出されると、図４に示すように、検出されたつなぎ目の評価結果ポイントと、つなぎ目の波形データとが二次元フィールドＡ上に重ねて表示部１２０に表示される。また、過去に検出されたつなぎ目の評価結果ポイント、及び、過去に検出された通常糸むらの評価結果ポイントも二次元フィールドＡ上に重ねて表示される。更に、第一クリアリングカーブＢ及び第二クリアリングカーブＣも二次元フィールドＡ上に重ねて表示される。
【００８１】
オペレータは、表示部１２０に表示されるつなぎ目の波形データとつなぎ目の評価結果ポイントとを確認することで、つなぎ目の形状を視覚的に容易に把握することができる。これにより、オペレータは、把握したつなぎ目の形状を、糸継台車３のスプライサ４３を調整する際の目安とすることができる。例えば、つなぎ目の両端部分が太い場合、又は、つなぎ目の平均太さが太い場合、つなぎ目の形状が正常となるようにスプライサ４３の各部を調整する。また、オペレータは、複数のつなぎ目の評価結果ポイントを確認することにより、つなぎ目の状態の傾向を把握することができる。オペレータは、把握されたつなぎ目の傾向に基づいて、スプライサ４３を調整することができる。
【００８２】
上述した、糸監視制御部４７ｂ及び５２ｂ、及び、表示制御装置１００は、物理的には、例えばＣＰＵ（Central  Processing  Unit）、ＲＯＭ（Read  Only  Memory）、ＲＡＭ（Random  Access  Memory）を含むコンピュータによって構成されている。
【００８３】
以上のように、検出部４７ａ及び５２ａ、糸監視制御部４７ｂ及び５２ｂ、表示制御装置１００、及び、表示部１２０が、つなぎ目の波形データと評価結果ポイントとを重ねて表示等する糸状態表示装置を構成する。
【００８４】
次に、表示制御装置１００が表示部１２０につなぎ目の評価結果ポイント及び波形データ等を表示する処理（糸状態表示方法）の流れについて説明する。図７に示すように、糸監視制御部４７ｂの生成部４７１は、検出部４７ａの検出結果データに基づいて、つなぎ目の波形データを生成する（ステップＳ１０１：生成工程）。糸監視制御部５２ｂの算出部５２２は、検出部５２ａの検出結果データに基づいて、紡績糸１０に含まれる通常糸むらの分布データを算出する。糸監視制御部４７ｂの算出部４７２は検出部４７ａの検出結果データに基づいて紡績糸１０に含まれるつなぎ目の分布データを算出する（ステップＳ１０２：算出工程）。
【００８５】
糸監視制御部５２ｂの出力部５２３は、分布データを表示制御装置１００へ出力する。糸監視制御部４７ｂの出力部４７３は、波形データ及び分布データを表示制御装置１００へ出力する（ステップＳ１０３：出力工程）。表示制御装置１００は、二次元フィールドＡ上につなぎ目及び通常糸むらの評価結果ポイントとつなぎ目の波形データとを重ねて表示部１２０に表示させる。また、表示制御装置１００は、表示欄Ｓに通常糸むらとつなぎ目に関する情報を表示させる（ステップＳ１０４：表示工程）。
【００８６】
本実施形態は以上のように構成され、表示制御装置１００は、つなぎ目の波形データと重ねて、つなぎ目の評価結果ポイントを表示部１２０に表示させる。これにより、オペレータは、つなぎ目の波形を確認するのと同時に、つなぎ目の評価結果を確認できる。このように、オペレータは、紡績糸１０のつなぎ目の状態を適切に確認できる。そしてオペレータは、紡績糸１０のつなぎ目の状態に基づいて、例えば、糸継台車３のスプライサ４３の調整をより適切に行うことができる。
【００８７】
表示制御装置１００は、時間的に異なる複数のつなぎ目に関する評価結果ポイントを同時に表示部１２０に表示させる。例えば、つなぎ目の状態は、糸継台車３のスプライサ４３の設定等によってある程度、形状が決まっている。しかしながら、つなぎ目の状態にもある程度のばらつきがあり、一つのつなぎ目の波形データ及び評価結果ポイントのみでつなぎ目の状態を判断すると、判断を誤ることが考えられる。そこで、複数のつなぎ目に関する評価結果ポイントを表示することにより、オペレータは、複数の評価結果ポイントに基づいてつなぎ目の状態の傾向を把握することができる。
【００８８】
表示制御装置１００は、同時に表示するつなぎ目の複数の評価結果ポイントのうち、表示部１２０に表示されている波形データＤに対応する評価結果ポイントを他の評価結果ポイントと区別して表示部１２０に表示させる（図４の評価結果ポイントＰ（白塗り星印））。この場合、オペレータは、表示部１２０に表示されている波形データＤに対応するつなぎ目の評価結果ポイントを容易に把握することができる。
【００８９】
表示制御装置１００は、不良つなぎ目として切断除去したつなぎ目に関する評価結果ポイント（図４の白塗り丸印）と、切断除去しないつなぎ目に関する評価結果ポイント（図４の黒塗り丸印）とを区別して表示部１２０に表示させてもよい。この場合、オペレータは、切断除去したつなぎ目に関する評価結果ポイントと、切断除去しないつなぎ目に関する評価結果ポイントとを簡単に区別して確認することができる。
【００９０】
表示制御装置１００は、つなぎ目の切断除去を行う境界となる第一クリアリングカーブＢを表示部１２０に更に表示させる。この場合、切断除去したつなぎ目に関する評価結果ポイントと共に、切断除去を行う境界となる第一クリアリングカーブＢを確認することができる。
【００９１】
糸監視制御部５２ｂの算出部５２２は、通常糸むらについての分布データを算出する。表示制御装置１００は、つなぎ目の評価結果ポイントに加えて、通常糸むらの分布データに基づいて通常糸むらの評価結果ポイントも表示部１２０に表示させる。この場合、オペレータは、通常糸むらに関する評価結果ポイントと、つなぎ目に関する評価結果ポイントとを同時に確認することができる。
【００９２】
表示制御装置１００は、切断除去した通常糸むらに関する評価結果ポイント（図４の白塗り四角印）と、切断除去しない通常糸むらに関する評価結果ポイント（ステップＳ４の黒塗り四角印）とを区別して表示部１２０に表示させる。この場合、オペレータは、切断除去した通常糸むらに関する評価結果ポイントと、切断除去しない通常糸むらに関する評価結果ポイントとを簡単に区別して確認することができる。
【００９３】
表示制御装置１００は、通常糸むらの切断除去を行う境界となる第二クリアリングカーブＣを表示部１２０に更に表示させる。この場合、オペレータは、切断除去した通常糸むらに関する評価結果ポイントと共に、切断除去を行う境界となる第二クリアリングカーブＣを確認することができる。
【００９４】
表示制御装置１００は、例えば、切断除去しないつなぎ目に関する評価結果ポイント（図４の白塗丸印）、及び、切断除去しない通常糸むらに関する評価結果ポイント（図４の黒塗り四角印）を区別して、これら評価結果ポイントとつなぎ目の波形データのみを表示部１２０に表示させてもよい。この場合、オペレータは、切断除去しないつなぎ目に関する評価結果ポイントと、切断除去しない通常糸むらに関する評価結果ポイントとを確認することができ、生成された紡績糸１０の状態を把握することができる。
【００９５】
表示制御装置１００は、スプライサ４３によって糸継ぎが行われた後、つなぎ目が検出されるまでの間にパッケージ４５に巻き取られた紡績糸１０の長さを表示部１２０に表示させる。この場合、オペレータは、つなぎ目の切断除去後、巻取りを再開してからのどの位置につなぎ目があるかを把握することができる。なお、スプライサ４３に対する糸監視装置４７の位置は固定されているため、つなぎ目の切断除去後、巻取りを再開してからつなぎ目が検出されるまでの長さは、略一定となっている。
【００９６】
各紡績ユニット２に設けられた糸監視装置５２の糸監視制御部５２ｂ、及び、糸継台車３に設けられた糸監視装置４７の糸監視制御部４７ｂが分布データを算出するため、表示制御装置１００が分布データを算出することが不要となり、表示制御装置１００の負荷を抑制することができる。
【００９７】
以上、本発明の一実施形態について説明したが、本発明は、上記実施形態に限定されるものではない。例えば、糸継台車３によって糸継作業が行われた後、つなぎ目測定期間中につなぎ目が検出されない場合、糸監視制御部４７ｂの算出部４７２は、つなぎ目測定期間中に検出部４７ａから入力された検出結果データのうち最も糸が太い部分についての分布データをつなぎ目の分布データとして算出してもよい。この場合、表示制御装置１００は、つなぎ目の分布データとして算出された最も糸が太い部分についての評価結果ポイントと、最も糸が太い部分の波形データとを表示部１２０に表示させる。これにより、オペレータは、つなぎ目が検出されない場合であっても、つなぎ目測定期間中の最も糸が太い部分に関する評価結果ポイントと波形データとを確認することができる。なお、検出部４７ａとして静電容量式の監視装置を用いる場合、糸監視制御部４７ｂは、最も糸質量が多い部分の分布データをつなぎ目の分布データとして算出する。
【００９８】
また、表示制御装置１００は、つなぎ目測定期間中に入力された検出結果データのうち最も糸が太い部分の評価結果ポイント等をつなぎ目として表示する際に、表示欄Ｓにこのつなぎ目に関する情報を表示してもよい。この場合、オペレータは、表示部１２０に表示されている波形データＤが、紡績糸１０の巻取りを再開してからのどの位置の波形データであるかを把握することができる。
【００９９】
例えば、上述したように、つなぎ目の切断除去後、巻取りを再開してからつなぎ目が検出されるまでの長さは略一定である。つなぎ目測定期間中に入力された検出結果データのうち最も糸が太い部分をつなぎ目とした場合、この最も糸が太い部分が検出されるまでの長さが他のつなぎ目が検出されるまでの長さとは異なることがある。従って、オペレータは、つなぎ目が検出されるまでの長さが今までと異なっているかを確認することにより、表示部１２０に表示されているつなぎ目の各種情報が、つなぎ目として判断された最も太い部分についての情報である可能性があることを把握できる。
【０１００】
糸監視装置４７及び５２に設けられた算出部４７２及び５２２が分布データを算出するものとしたが、分布データを算出する算出部４７２及び５２２を表示制御装置１００内に設けてもよい。また、生成部４７１が波形データを生成するものとしたが、波形データを生成する生成部４７１を表示制御装置１００内に設けてもよい。
【０１０１】
糸監視装置５２の糸監視制御部５２ｂを各紡績ユニット２にそれぞれ設けたが、各紡績ユニット２のそれぞれに設けることに限定されない。例えば、糸監視制御部５２ｂを、所定数毎にグループ分けされた紡績ユニット２のグループ毎、すなわち、複数の紡績ユニット２に対して共通に設けてもよい。
【０１０２】
つなぎ目を検出する糸監視装置４７を糸継台車３に設けたが、各紡績ユニット２に対してスプライサ４３よりも下流側の位置にそれぞれ糸監視装置４７を設けてもよい。糸監視装置４７を各紡績ユニット２にそれぞれ設けた場合、糸監視装置４７によって、つなぎ目と通常糸むらとを検出してもよい。この場合、糸監視装置４７の生成部４７１は、つなぎ目の波形データを生成し、算出部４７２はつなぎ目及び通常糸むらの分布データを算出する。また、各紡績ユニット２にそれぞれ糸監視装置４７を設けた場合、糸監視装置４７の糸監視制御部４７ｂは、各紡績ユニット２にそれぞれ設けなくてもよい。例えば、糸監視制御部４７ｂを、所定数毎にグループ分けされた紡績ユニット２のグループ毎、すなわち、複数の紡績ユニット２に対して共通に設けてもよい。この場合、紡績ユニット２毎に設けられた糸監視制御部４７ｂの出力部４７３、又は、所定数の紡績ユニット２のグループ毎に設けられた糸監視制御部４７ｂの出力部４７３は、波形データと分布データとを通信ラインを介して表示制御装置１００に出力する。
【０１０３】
表示制御装置１００は、紡績ユニット２で生成される紡績糸１０のつなぎ目の波形データ及び評価結果ポイント等を表示部１２０に表示させるものとしたが、紡績機１以外の糸処理装置において処理される糸の波形データ及び評価結果ポイント等を表示させてもよい。例えば、糸の巻取を行う自動ワインダ、オープンエンド紡績機、及び、リング紡績機等、糸継ぎを行う装置であれば、これらの装置においても上記の表示制御装置１００を用いてつなぎ目の波形データ及び評価結果ポイント等を表示することができる。
【符号の説明】
【０１０４】
１…紡績機（糸処理装置）、２…紡績ユニット（糸処理ユニット）、３…糸継台車（糸継装置）、４７ａ，５２ａ…検出部、４７ｂ，５２ｂ…糸監視制御部、１００…表示制御装置（表示制御部）、１２０…表示部、４７１…生成部、４７２，５２２…算出部、４７３，５２３…出力部。
【図１】
2015140252.tif 000003
【図２】
2015140252.tif 000004
【図３】
2015140252.tif 000005
【図４】
2015140252.tif 000006
【図５】
2015140252.tif 000007
【図６】
2015140252.tif 000008
【図７】
2015140252.tif 000009